(57)【特許請求の範囲】
【請求項１】
印字媒体の印字面に打ちつけられる先端部を有する複数のワイヤと、前記印字媒体と前記ワイヤの先端部との距離を確保するため前記印字媒体上を摺動する回転自在なローラと、前記ローラの大径方向に延出し前記ローラを回転自在に支持するローラの支持部と、前記ワイヤが配設され前記ローラの支持部が取り付けられるフレームとを備えた印字ヘッドであって、
前記ローラの支持部と前記フレームとの間に、前記印字媒体と前記ワイヤの先端部との距離を調整するためのスペーサを複数枚備え、
前記スペーサは、前記ローラの支持部と前記フレームとの間で抜き取り可能に挟持され、一方の面における左右いずれかに偏って形成された摘みを有し、それぞれの前記摘みが重ならないように前記一方の面と他方の面とが交互に重ねられて配置される
ことを特徴とする印字ヘッド。
【請求項２】
前記摘みには、使用者に把持される孔が形成されていることを特徴とする請求項１に記載の印字ヘッド。
【請求項３】
前記ローラの支持部は、前記フレームに対して、ねじによって締結されており、
前記スペーサには、その一端が当該スペーサの縁まで開口された、前記ねじを貫通させるための溝が形成されている
ことを特徴とする請求項１又は２に記載の印字ヘッド。
【請求項４】
前記ローラの支持部と前記フレームとの間には、前記スペーサと共に、当該間に固定される固定スペーサが更に備えられていることを特徴とする請求項１乃至３のいずれか１項に記載の印字ヘッド。
【請求項５】
請求項１乃至４のいずれか１項に記載の前記印字ヘッドを備えたことを特徴とするプリンタ。
【発明の詳細な説明】
【技術分野】
【０００１】
本発明は、ワイヤの先端を打ちつけて印字媒体に印字を行う印字ヘッド及びこれを備えたプリンタに関する。
【背景技術】
【０００２】
ドットインパクト式の印字ヘッドが印刷装置、記録装置等に用いられている。このような印字ヘッドとして、特許文献１に示すように、励磁コイルに給電して磁気コア部に発生させた磁力により吸着されるとともに復帰ばねにより待機位置へと付勢されることにより揺動する印字レバーと、この印字レバーの一端にそれぞれ固定され、印字レバーにより付勢されてインクリボンを介して印字用紙の印字面を打撃して印字する印字ワイヤとを複数それぞれ備えたものがある。
また、特許文献２に示すように、印字ワイヤの先端部と印字用紙の印字面との距離を確保するためのローラを備えたものもある。
【特許文献１】特開平１１−３３４１１５号公報
【特許文献２】特開平１１−１７９９９７号公報
【発明の開示】
【発明が解決しようとする課題】
【０００３】
上述した特許文献１や特許文献２の印字ヘッドにおいては、長く使用している間に印字ワイヤの先端が印字用紙の印字面に何度も打撃されることにより摩耗してしまうことがあった。
【０００４】
このように印字ワイヤの先端が摩耗してしまうと、印字ワイヤの先端が印字用紙の印字面に届かなくなり印字がかすれる等印字用紙への印字力が低下してしまうという問題があった。
特許文献２のものでは、印字ヘッドを搭載するキャリアにローラの支持部をネジ止めするための開口が調整方向に伸びており、ネジを緩めて印字面に対するローラの位置を調整することによって印字ワイヤの先端と印字面との距離の調整が可能となっていたが、調整量を規定する構成がなく、調整作業が煩雑であった。
【０００５】
本発明は、上記実情に鑑みてなされたもので、印字力の低下を防止するための印字ワイヤの先端と印刷媒体との距離を容易に調整可能にする印字ヘッド及びこれを備えたプリンタを提供することを目的とする。
【課題を解決するための手段】
【０００６】
上記目的を達成するため、本発明の印字ヘッドは、
印字媒体の印字面に打ちつけられる先端部を有する複数のワイヤと、前記印字媒体と前記ワイヤの先端部との距離を確保するため前記印字媒体上を摺動する回転自在なローラと、前記ローラの大径方向に延出し前記ローラを回転自在に支持するローラの支持部と、前記ワイヤが配設され前記ローラの支持部が取り付けられるフレームとを備えた印字ヘッドであって、
前記ローラの支持部と前記フレームとの間に、前記印字媒体と前記ワイヤの先端部との距離を調整するためのスペーサを複数枚備え、
前記スペーサは、前記ローラの支持部と前記フレームとの間で抜き取り可能に挟持され、一方の面における左右いずれかに偏って形成された摘みを有し、それぞれの前記摘みが重ならないように前記一方の面と他方の面とが交互に重ねられて配置されることを特徴とする。
【０００７】
また、前記摘みには、使用者に把持される孔が形成されているようにしてもよい。
【０００８】
また、前記ローラの支持部は、前記フレームに対して、ねじによって締結されており、
前記スペーサには、その一端が当該スペーサの縁まで開口された、前記ねじを貫通させるための溝が形成されているようにしてもよい。
【０００９】
また、前記ローラの支持部と前記フレームとの間には、前記スペーサと共に、当該間に固定される固定スペーサが更に備えられているようにしてもよい。
【００１０】
上記目的を達成するため、本発明のプリンタは、上述した印字ヘッドを備えたことを特徴とする。
【発明の効果】
【００１１】
本発明によれば、印字ワイヤの先端と印刷媒体との距離を調整可能にすることにより、印字力の低下を防止する印字ヘッド及びこれを備えたプリンタを提供することができる。
【発明を実施するための最良の形態】
【００１２】
本発明の実施の形態に係る印字ヘッドについて、以下図面を参照して説明する。印字ヘッド１は、ドットインパクト式のプリンタに用いられるものであり、ワイヤ１１の先端が印字用紙２０等の印刷媒体の印刷面にインクリボン３２を介して打ちつけられることにより印字を行うものである。
【００１３】
印字ヘッド１は、図１から図４に示すように、ワイヤ１１と、なぞりローラ１２と、なぞりローラ１２を支持するローラ支持部１３と、抜取りスペーサ１４と、ワイヤ枠１５と、フレーム１６と、高さ調整用スペーサ１８とを備えている。フレーム１６内には、複数のワイヤ１１の後端部にそれぞれ一端が固定された図示しない複数のレバーが放射状に配置され、また、複数のレバーを揺動させるための磁力を発生させる図示しないコイル、ヨーク等も配置されている。
【００１４】
レバーを磁力による吸着により揺動させることによって、ワイヤ１１は先端がワイヤ枠１５の開口１５ａから突出して印字面に打ちつけられる。
【００１５】
ワイヤ１１は、ワイヤ枠１５内に複数配設されている。ワイヤ１１は先端が、ワイヤ枠１５の先端に形成された二列の開口１５ａから突出できるように揺動可能にワイヤ枠１５内に配設されている。ワイヤ枠１５は、フレーム１６の底面１６ａに立設するように取り付けられる。
【００１６】
なぞりローラ１２は、図５及び図６に示すように、印字用紙２０とワイヤ１１の先端との距離を確保するためのものである。なぞりローラ１２は、図５に示すように、搬送される印字用紙２０をプラテン３６上で押さえて印字用紙２０とワイヤ１１の先端との距離を安定させる。なぞりローラ１２は、回転自在であり印字用紙２０上を摺動する。
【００１７】
なぞりローラ１２は、印字ヘッド１の移動方向に回転自在にローラ支持部１３に支持されている。ローラ支持部１３はフレーム１６の底面１６ａに立設するように取付られる。すなわち、ワイヤ１１が配設されたワイヤ枠１５とローラ支持部１３は平行になるようにフレーム１６に取り付けられる。
ローラ支持部１３は、固定ねじ１７によって高さ調整用スペーサ１８及び抜取りスペーサ１４を介してフレーム１６の底面１６ａに固定される。なぞりローラ１２はワイヤ枠１５の上部に接近して配置される。
【００１８】
高さ調整用スペーサ１８は、なぞりローラ１２のフレーム１６の基準面(底面)１６ａからの高さを調整するためのスペーサである。高さ調整用スペーサ１８には、固定ねじ１７によってローラ支持部１３とフレーム１６の基準面１６ａとの間に固定されるための固定孔１８ａが形成されている。
【００１９】
抜取りスペーサ１４は、図６に示すように、なぞりローラ１２のフレーム１６の基準面１６ａからの高さを調整するための抜き取り可能なスペーサである。すなわち、抜取りスペーサ１４は、なぞりローラ１２の高さを調整すべく引き抜かれて、印字用紙２０とフレーム１６の基準面１６ａとの距離を縮め、印字用紙２０とワイヤ１１の先端との距離を縮めるためのものである。
【００２０】
抜取りスペーサ１４は２枚備えられている。抜取りスペーサ１４には、丸孔１４１ａが形成された摘み１４ａと、固定ねじ１７が遊嵌される溝１４ｂとが形成されている。摘み１４ａは左右いずれかに偏って形成されている。したがって、図１及び図３に示すように、一方の抜取りスペーサ１４に対して他方の抜取りスペーサ１４を裏返して交互に重ねて配置することにより、２枚の抜取りスペーサ１４の摘み１４ａは左右に位置がそれぞれ振り分けられる。また、丸孔１４１ａにより摘み１４ａは把持しやすくなっている。
【００２１】
２枚のスペーサ１４は、固定ねじ１７によって高さ調整用スペーサ１８とローラ支持部１３の底面のフランジ部１３ａとの間に固定される。なお、スペーサ１４は、図３に示すように、摘み１４ａがローラ支持部１３のフランジ部１３ａによって重なって隠れないようにフランジ部１３ａの外縁より把持可能な程度に外側に配置される。
【００２２】
抜取りスペーサ１４は、固定ねじ１７を緩めることによって、溝１４ｂには固定ねじ１７が遊嵌されているだけなので、摘み１４ａを把持して容易に抜取ることが可能である。なお、抜取りスペーサ１４の厚さは０．０５ｍｍ程度である。
【００２３】
次に、この印字ヘッド１を備えたプリンタ３０について説明する。プリンタ３０は、図５に示すように、印字ヘッド１と、印字ヘッド１にセットされるリボンカセット３１と、リボンカセット３１が備えるインクリボン３２と、印字ヘッド１のキャリッジ３３と、キャリッジ３３を図５(ａ)において左右方向に移動可能に支持するキャリッジ軸３４と、印字用紙２０を図５(ｂ)において矢印方向に搬送するための搬送ローラ３５と、印字用紙２０を支持するプラテン３６と、プラテン３６を印字ヘッド１の方向へ付勢する付勢ばね３７とを備えている。キャリッジ軸３４及び搬送ローラ３５は、筐体４０に平行に架設されている。
【００２４】
このプリンタ３０では、リボンカセット３１がセットされた印字ヘッド１をキャリッジ３３を介してキャリッジ軸３４の延伸方向に移動させながら、必要に応じて印字用紙２０を搬送ローラ３５により搬送ローラ３５の延伸方向と垂直方向に搬送させる。
【００２５】
印字ヘッド１のワイヤ枠１５の開口１５ａから選択的にワイヤ１１の先端を突出させて、ワイヤ１１の先端をインクリボン３２を介してプラテン３６上に支持された印字用紙２０の印字面に打撃させて印字を行う。
【００２６】
ここで、抜取りスペーサ１４を抜き取ることにより、印字用紙２０とワイヤ１１の先端との距離を調整する方法について、図６を用いて説明する。ここでは理解しやすくするために２枚の抜取りスペーサ１４をいっしょに抜き取る例について説明する。
【００２７】
抜取りスペーサ１４を抜き取る前の状態を図６(ａ)に示し、２枚の抜取りスペーサ１４を抜き取った後の状態を図６(ｂ)に示す。図６(ａ)に示すように、抜取りスペーサ１４を抜き取る前のなぞりローラ１２の先端とフレーム１６の基準面１６ａとの距離をＬ１とし、１枚の抜取りスペーサ１４の厚さをｔとし、抜取りスペーサ１４を抜き取る前の突出したワイヤ１１の先端と印刷用紙２０の印字面との距離をｄ１とする。
【００２８】
印字ヘッド１の使用状況が進んで、ワイヤ１１の先端が摩耗して印字用紙２０の印字面とワイヤ１１の先端との距離が増えてきて印字力が低下した場合に、図６(ａ)に示した状態から、２枚の抜取りスペーサ１４を抜き取る。２枚の抜取りスペーサ１４を抜き取ると、なぞりローラ１２の先端とフレーム１６の基準面１６ａとの距離Ｌ２がＬ１−２ｔと縮まる。この縮まる距離Ｌ２は、印刷用紙２０の印字面とフレーム１６の基準面との距離でもある。
【００２９】
その結果、突出したワイヤ１１の先端と印刷用紙２０の印字面との距離もｄ１−２ｔと縮まり、ワイヤ１１の先端が印字用紙２０の印字面に接近して、ワイヤ１１が摩耗する前の距離となる。これにより、再度、良好な印字が得られる。
【００３０】
このように本実施の形態の印字ヘッドでは、抜取りスペーサ１４を抜き取ることによりワイヤ１１の先端が摩耗した場合にも、ワイヤ１１の先端と印字用紙２０の印字面との距離を調整して縮めることができるようにしたので、印字力の低下を防止することができる。
【００３１】
また、本実施の形態の印字ヘッドでは、２枚の抜取りスペーサ１４を備えているために、段階的にワイヤ１１の先端と印字用紙２０の印字面との距離を調整することができる。
【００３２】
また、本実施の形態の印字ヘッドでは、一方の抜取りスペーサ１４に対して他方の抜取りスペーサ１４を裏返して交互に重ねて配置することにより、２枚の抜取りスペーサ１４の摘み１４ａは左右に位置がそれぞれ振り分けられるので、容易に１枚ずつ抜取りスペーサ１４を抜き取ることができる。このように複数枚のスペーサを使用する際は、スペーサの平面形状を互いの摘みが重ならないようなものとすれば、同様に容易に１枚ずつ抜取りスペーサを抜き取ることができる。
【００３３】
また、本実施の形態のプリンタでは、上述したような印字ヘッドを備えるようにしたため、良好な印字作業を印字力が低下することなく行うことができる。
【００３４】
以上、実施形態を挙げて本発明を説明したが、本発明は上記実施形態に限定されるものではなく、種々変形が可能である。例えば、本実施形態では抜取りスペーサ１４を２枚備えた例について説明したが、抜取りスペーサは１枚でもよく、３枚以上であってもよい。
【００３５】
また、本実施形態では、抜取りスペーサ１４の厚さを０．０５ｍｍ程度に形成する例について説明したが、ワイヤ１１の摩耗の度合い等を考慮して、抜取りスペーサ１４の厚さは任意に決定することができるし、使用するスペーサ１４の枚数も適宜に決定することができる。例えば、印字ヘッドを搭載するプリンタに特定のワイヤ１１の印字数又は複数のワイヤ１１の平均印字数をカウントするカウンタ及びそのカウント値の表示部を設け、所定のカウント値に応じて、複数の抜取りスペーサ１４を所定の順序で抜き取るようにしても良い。
【００３６】
また、本実施形態は、抜取りスペーサ１４を裏表交互に配置する例について説明したが、あらかじめ摘みの位置が左右にそれぞれ偏って形成された抜取りスペーサを用いるようにしてもよい。
【図面の簡単な説明】
【００３７】
【図１】本発明の実施形態に係る印字ヘッドの構成を表す分解斜視図である。
【図２】図１に示した印字ヘッドの側面図である。
【図３】図１に示した印字ヘッドの正面図である。
【図４】図１に示した印字ヘッドの平面図である。
【図５】(ａ)は図１に示した印字ヘッドを備えたプリンタの平面図であり、(ｂ)は(ａ)に示したプリンタのＡ−Ａ矢視断面図である。
【図６】(ａ)は図１に示した印字ヘッドの抜取りスペーサの抜取り前の状態を表す説明図であり、(ｂ)は図１に示した印字ヘッドの抜取りスペーサの抜取り後の状態を表す説明図である。
【符号の説明】
【００３８】
１                印字ヘッド
１１              ワイヤ
１２              なぞりローラ
１３              ローラ支持部
１４              抜取りスペーサ
１４ａ            摘み
１６              フレーム
１６ａ            基準面(底面)
１７              固定ねじ
１８              高さ調整用スペーサ
２０              印字用紙
３０              プリンタ
３２              インクリボン
３６              プラテン
【図１】
0004461115.tif 000002
【図２】
0004461115.tif 000003
【図３】
0004461115.tif 000004
【図４】
0004461115.tif 000005
【図５】
0004461115.tif 000006
【図６】
0004461115.tif 000007